(57)【要約】【課題】  タイマ予約録画による録画処理を行うことができる記録再生装置であって、タイマ予約録画終了時の装置の電源制御の設定操作の簡略化等により、装置の省電力化・操作性に優れた記録再生装置の提供。【解決手段】  タイマ予約録画動作中に、ユーザによる装置に対する操作があった場合には、これを記憶し（ステップ３０３〜ステップ３０７）、タイマ予約録画終了時に、タイマ予約録画動作中に操作があった場合には自動的に装置の電源をオンに維持し（電源オフ処理を行わず）、操作が無かった場合には、電源をオン状態に維持する指示を受け付ける画面を表示し（ステップ３１０）、所定時間内に指示が無かった場合には電源オフ処理を行う（ステップ３１１〜ステップ３１３）ことで、タイマ予約録画終了時の装置の電源制御の設定操作の簡略化を行う。【選択図】  図３
2006270253.tif 000002
【特許請求の範囲】
【請求項１】
装置内の各部への電力供給を行う電源部と、当該電源部から装置内の各部への電力供給の制御を行う電源制御部と、装置全体の制御を行う制御部と、時計機能を有するタイマ部と、操作部と、記憶部とを備えることにより、記録媒体へのコンテンツの録画動作を、録画開始日時及び録画終了日時の設定と、録画する映像信号の入力ソースの選択とを予め設定・記憶させることによるタイマ予約録画動作によって行うことが可能な記録再生装置であって、前記タイマ予約録画動作の終了時に、前記電源制御部によって前記電源部からの電源供給を停止させることで、前記タイマ予約録画動作の終了時に装置の電源をオフ状態とするように設定されている状態である場合に、前記タイマ予約録画動作中における前記操作部に対するユーザからの入力があった場合には、前記タイマ予約録画動作の終了時に、前記電源制御部による前記電源部からの電源供給の停止処理を行わせないことで、前記タイマ予約録画動作終了後も装置の電源をオン状態に維持することを特徴とする記録再生装置。
【請求項２】
前記タイマ予約録画動作中における前記操作部に対するユーザからの入力が無かった場合には、前記タイマ予約録画動作の終了時に、前記記録再生装置に備えられる表示部若しくは前記記録再生装置に接続される表示装置に、前記記録再生装置の電源をオン状態で維持させるための指示を受け付ける画面を表示させ、これらに対するユーザからの指示が前記操作部の操作によって所定時間内にあった場合には装置の電源をオン状態に維持し、ユーザからの指示が所定時間内に無かった場合には装置の電源をオフ状態とすることを特徴とする請求項１記載の記録再生装置。
【請求項３】
前記タイマ予約録画動作中における前記操作部に対するユーザからの入力が、電源キーの入力である場合には、当該電源キーの入力に応じて前記タイマ予約録画動作の終了時に装置の電源をオフ状態とするかオン状態で維持するかの設定を変化させ、且つ、前記記録再生装置に備えられる表示部若しくは前記記録再生装置に接続される表示装置に当該変化後の設定に関する情報を表示させることを特徴とする請求項１又は請求項２に記載の記録再生装置。
【請求項４】
前記タイマ予約録画動作中における前記操作部に対するユーザからの入力があった際に、前記記録再生装置に備えられる表示部若しくは前記記録再生装置に接続される表示装置に、前記タイマ予約録画動作が終了する時点で前記記録再生装置の電源をオン状態で維持するかオフ状態とするかの選択画面を表示させ、これに対するユーザの選択に従って前記タイマ予約録画動作が終了する時点での前記電源制御部による電力供給の制御を行わせることを特徴とする請求項１乃至請求項３の何れか１つに記載の記録再生装置。
【請求項５】
装置内の各部への電力供給を行う電源部と、当該電源部から装置内の各部への電力供給の制御を行う電源制御部と、装置全体の制御を行う制御部と、時計機能を有するタイマ部と、操作部と、記憶部とを備えることにより、記録媒体へのコンテンツの録画動作を、録画開始日時及び録画終了日時の設定と、録画する映像信号の入力ソースの選択とを予め設定・記憶させることによるタイマ予約録画動作によって行うことが可能な記録再生装置であって、前記タイマ予約録画動作の終了時に、装置が再生動作状態である場合には、前記タイマ予約録画動作終了後も前記電源部からの給電状態を維持させることにより装置の電源をオン状態に維持し、前記タイマ予約録画動作の終了時に、装置が再生動作状態でない場合には、前記記録再生装置に備えられる表示部若しくは前記記録再生装置に接続される表示装置に、前記記録再生装置の電源をオン状態で維持させるための指示を受け付ける画面を表示させ、これに対するユーザからの指示が前記操作部の操作によって所定時間内にあった場合には装置の電源をオン状態に維持し、ユーザからの指示が所定時間内に無かった場合には装置の電源をオフ状態とすることを特徴とする記録再生装置。
【請求項６】
装置内の各部への電力供給を行う電源部と、当該電源部から装置内の各部への電力供給の制御を行う電源制御部と、装置全体の制御を行う制御部と、時計機能を有するタイマ部と、操作部と、記憶部とを備えることにより、記録媒体へのコンテンツの録画動作を、録画開始日時及び録画終了日時の設定と、録画する映像信号の入力ソースの選択とを予め設定・記憶させることによるタイマ予約録画動作によって行うことが可能な記録再生装置であって、前記タイマ予約録画動作中に電源キーの入力があった場合には、当該電源キーの入力に応じて前記タイマ予約録画動作の終了時に装置の電源をオフ状態とするかオン状態で維持するかの設定を変化させると共に前記記録再生装置の表示部若しくは前記記録再生装置に接続される表示装置に当該変化後の設定に関する情報を表示させ、前記タイマ予約録画動作の終了時に、装置が再生動作状態である場合には、前記タイマ予約録画動作の終了時の電源の設定状態に拘わらず、前記タイマ予約録画動作終了後も前記電源部からの給電状態を維持させることにより装置の電源をオン状態に維持し、前記タイマ予約録画動作の終了時に、装置が再生動作状態でない場合には、前記タイマ予約録画動作の終了時の電源の設定状態に従って前記タイマ予約録画動作が終了する時点での前記電源制御部による電力供給の制御を行わせることを特徴とする記録再生装置。
【発明の詳細な説明】
【技術分野】
【０００１】
本発明は、いわゆるタイマ予約録画による録画処理を行うことができる記録再生装置に関し、特に、タイマ予約録画終了時の装置の電源制御について考慮された記録再生装置に関する。
【背景技術】
【０００２】
記録媒体へのコンテンツ（放送番組など）の録画を行う記録再生装置において、録画開始時間、録画終了時間、入力ソース（チャンネルなど）の選択等を予め設定して記憶させておくことにより、自動的に録画処理が行われるいわゆる“タイマ予約録画”が広く利用されている。タイマ予約録画は、録画処理時にユーザが不在である（それが故に予約を行う）ことが前提となっている機能であるため、消費電力の低減などの目的により、タイマ予約録画処理が終了した後は、装置の電源をオフ状態とすることが一般的である。
【０００３】
しかし、タイマ予約録画機能を利用していても、タイマ予約録画処理の終了時に、ユーザが不在であるとは限らず、在宅している場合もあり、タイマ予約録画処理終了時に引き続き装置を利用したいと思う場合もある。このような場合にも、タイマ予約録画処理終了時に一律に装置の電源をオフとされたのでは、ユーザにとって煩わしいものとなってしまう。このような問題に関する従来技術であって、タイマ予約録画処理終了時におけるユーザへの予告に関する技術が特許文献１などによって、タイマ予約録画処理終了時の装置の電源制御に関する技術が特許文献２〜特許文献３などによって、タイマ予約録画処理中の装置の電源制御に関する技術が特許文献４などによって開示されている。
【０００４】
【特許文献１】特開平２−３０５１８８号公報
【特許文献２】特開２００２−１５２６４５号公報
【特許文献３】特開２００３−１１０９８４号公報
【特許文献４】特開昭６１−２８５８７９号公報
【発明の開示】
【発明が解決しようとする課題】
【０００５】
上記特許文献２によって開示されている技術は、タイマ予約録画処理の終了時に装置の電源をオン状態に維持するか否かの判断をユーザに求め、これに対する応答がない場合には装置の電源をオフとすることにより、消費電力の低減を図ったものである。これによれば、タイマ予約録画処理の終了時に、続けて装置を使用する意志があるか否かの判断を直接ユーザから得ることが出来るため、よりユーザの利用状況に即した動作を行わせることができるが、例えば、続けて装置を使用する意志があるものの、タイマ予約録画処理の終了時にたまたま席を外していた場合や、タイマ予約録画処理終了時の指示画面を見逃した場合などには、装置の電源がオフとされてしまう場合があった。これを防止するために、タイマ予約録画処理終了時の指示画面を表示する時間を長くすることも考えられるが、この場合、当該画面が長く表示されていることがユーザにとって煩わしいものとなる虞があると共に、この間は装置の電源がオン状態で維持されるため節電効果を低減させることになるものであった。
【０００６】
特許文献３によって開示されている技術は、タイマ予約録画処理の終了時に、装置が再生処理等の動作をしている場合には、装置の電源をオン状態に維持するというものであるが、タイマ予約録画処理の終了時に装置がなんらかの動作処理を行っているか否かがユーザの装置の使用意志と必ず連動しているとは限らないため、場合によっては装置の動作条件を変更させる必要があるが、この設定変更を、メニュー画面を表示させて行わせるようにしているため、当該設定操作が煩雑となってしまう場合があるものであった。
【０００７】
本発明は、上述した点に鑑み、タイマ予約録画による録画処理を行うことができる記録再生装置であって、タイマ予約録画終了時の装置の電源制御の設定操作の簡略化等により、装置の省電力化・操作性に優れた記録再生装置を提供することを目的とする。
【課題を解決するための手段】
【０００８】
請求項１の記録再生装置は、装置内の各部への電力供給を行う電源部と、当該電源部から装置内の各部への電力供給の制御を行う電源制御部と、装置全体の制御を行う制御部と、時計機能を有するタイマ部と、操作部と、記憶部とを備えることにより、記録媒体へのコンテンツの録画動作を、録画開始日時及び録画終了日時の設定と、録画する映像信号の入力ソースの選択とを予め設定・記憶させることによるタイマ予約録画動作によって行うことが可能な記録再生装置であって、前記タイマ予約録画動作の終了時に、前記電源制御部によって前記電源部からの電源供給を停止させることで、前記タイマ予約録画動作の終了時に装置の電源をオフ状態とするように設定されている状態である場合に、前記タイマ予約録画動作中における前記操作部に対するユーザからの入力があった場合には、前記タイマ予約録画動作の終了時に、前記電源制御部による前記電源部からの電源供給の停止処理を行わせないことで、前記タイマ予約録画動作終了後も装置の電源をオン状態に維持することを特徴とする。
【０００９】
上記構成によれば、タイマ予約録画動作の終了時に装置の電源をオフ状態とするように設定されている状態である場合において、タイマ予約録画動作中における操作部に対するユーザからの入力（例えば再生ボタンの入力など）があった場合には、タイマ予約録画動作終了後も自動的に装置の電源がオン状態に維持される。
【００１０】
請求項２の記録再生装置は、請求項１記載の記録再生装置であって、前記タイマ予約録画動作中における前記操作部に対するユーザからの入力が無かった場合には、前記タイマ予約録画動作の終了時に、前記記録再生装置に備えられる表示部若しくは前記記録再生装置に接続される表示装置に、前記記録再生装置の電源をオン状態で維持させるための指示を受け付ける画面を表示させ、これらに対するユーザからの指示が前記操作部の操作によって所定時間内にあった場合には装置の電源をオン状態に維持し、ユーザからの指示が所定時間内に無かった場合には装置の電源をオフ状態とすることを特徴とする。
【００１１】
上記構成によれば、タイマ予約録画動作の終了時に装置の電源をオフ状態とするように設定されている状態である場合において、タイマ予約録画動作中における操作部に対するユーザからの入力（例えば再生ボタンの入力など）があった場合には、タイマ予約録画動作終了後も自動的に装置の電源がオン状態に維持され、一方、タイマ予約録画動作中における操作部に対するユーザからの入力がなかった場合には、タイマ予約録画動作の終了時に、装置の電源をオン状態で維持させる指示を求める画面が表示され、所定時間内にこれに対するユーザからの応答がない場合には、装置の電源がオフ状態とされ、ユーザからの応答があった場合には装置の電源がオン状態に維持される。
【００１２】
請求項３の記録再生装置は、請求項１又は請求項２に記載の記録再生装置であって、前記タイマ予約録画動作中における前記操作部に対するユーザからの入力が、電源キーの入力である場合には、当該電源キーの入力に応じて前記タイマ予約録画動作の終了時に装置の電源をオフ状態とするかオン状態で維持するかの設定を変化させ、且つ、前記記録再生装置に備えられる表示部若しくは前記記録再生装置に接続される表示装置に当該変化後の設定に関する情報を表示させることを特徴とする。
【００１３】
上記構成によれば、例えば、タイマ予約録画動作の終了時に装置の電源をオフ状態とするように設定されている状態である場合において、タイマ予約録画動作中に電源キーの入力があった場合には、タイマ予約録画動作の終了時に装置の電源をオン状態とするように設定の変更がされ、当該設定変更があった旨が画面表示される。この状態においてさらに電源キーの入力があった場合には、タイマ予約録画動作の終了時に装置の電源をオフ状態とするように設定の変更がされ、当該設定変更があった旨が画面表示される。
【００１４】
請求項４の記録再生装置は、請求項１乃至請求項３の何れか１つに記載の記録再生装置であって、前記タイマ予約録画動作中における前記操作部に対するユーザからの入力があった際に、前記記録再生装置に備えられる表示部若しくは前記記録再生装置に接続される表示装置に、前記タイマ予約録画動作が終了する時点で前記記録再生装置の電源をオン状態で維持するかオフ状態とするかの選択画面を表示させ、これに対するユーザの選択に従って前記タイマ予約録画動作が終了する時点での前記電源制御部による電力供給の制御を行わせることを特徴とする。
【００１５】
上記構成によれば、タイマ予約録画動作中における操作部に対するユーザからの入力（例えば再生ボタンの入力など）があった場合には、当該入力があった時点で、タイマ予約録画動作の終了時に装置の電源をオン状態で維持するかオフ状態とするかの選択画面が表示され、これに対するユーザの選択に従って、タイマ予約録画動作の終了時の装置の電源がオン状態で維持若しくはオフ状態とされる。
【００１６】
請求項５の記録再生装置は、装置内の各部への電力供給を行う電源部と、当該電源部から装置内の各部への電力供給の制御を行う電源制御部と、装置全体の制御を行う制御部と、時計機能を有するタイマ部と、操作部と、記憶部とを備えることにより、記録媒体へのコンテンツの録画動作を、録画開始日時及び録画終了日時の設定と、録画する映像信号の入力ソースの選択とを予め設定・記憶させることによるタイマ予約録画動作によって行うことが可能な記録再生装置であって、前記タイマ予約録画動作の終了時に、装置が再生動作状態である場合には、前記タイマ予約録画動作終了後も前記電源部からの給電状態を維持させることにより装置の電源をオン状態に維持し、前記タイマ予約録画動作の終了時に、装置が再生動作状態でない場合には、前記記録再生装置に備えられる表示部若しくは前記記録再生装置に接続される表示装置に、前記記録再生装置の電源をオン状態で維持させるための指示を受け付ける画面を表示させ、これに対するユーザからの指示が前記操作部の操作によって所定時間内にあった場合には装置の電源をオン状態に維持し、ユーザからの指示が所定時間内に無かった場合には装置の電源をオフ状態とすることを特徴とする。
【００１７】
上記構成によれば、タイマ予約録画動作の終了時に装置が再生動作状態である場合には、装置の電源がオン状態に維持される。一方、タイマ予約録画動作の終了時に装置が再生動作状態でない場合には、装置の電源をオン状態で維持させる指示を求める画面が表示され、所定時間内にこれに対するユーザからの応答がない場合には、装置の電源がオフ状態とされ、ユーザからの応答があった場合には装置の電源がオン状態に維持される。
【００１８】
請求項６の記録再生装置は、装置内の各部への電力供給を行う電源部と、当該電源部から装置内の各部への電力供給の制御を行う電源制御部と、装置全体の制御を行う制御部と、時計機能を有するタイマ部と、操作部と、記憶部とを備えることにより、記録媒体へのコンテンツの録画動作を、録画開始日時及び録画終了日時の設定と、録画する映像信号の入力ソースの選択とを予め設定・記憶させることによるタイマ予約録画動作によって行うことが可能な記録再生装置であって、前記タイマ予約録画動作中に電源キーの入力があった場合には、当該電源キーの入力に応じて前記タイマ予約録画動作の終了時に装置の電源をオフ状態とするかオン状態で維持するかの設定を変化させると共に前記記録再生装置の表示部若しくは前記記録再生装置に接続される表示装置に当該変化後の設定に関する情報を表示させ、前記タイマ予約録画動作の終了時に、装置が再生動作状態である場合には、前記タイマ予約録画動作の終了時の電源の設定状態に拘わらず、前記タイマ予約録画動作終了後も前記電源部からの給電状態を維持させることにより装置の電源をオン状態に維持し、前記タイマ予約録画動作の終了時に、装置が再生動作状態でない場合には、前記タイマ予約録画動作の終了時の電源の設定状態に従って前記タイマ予約録画動作が終了する時点での前記電源制御部による電力供給の制御を行わせることを特徴とする。
【００１９】
上記構成によれば、例えば、タイマ予約録画動作の終了時に装置の電源をオフ状態とするように設定されている状態である場合において、タイマ予約録画動作中に電源キーの入力があった場合には、タイマ予約録画動作の終了時に装置の電源をオン状態とするように設定の変更がされ、当該設定変更があった旨が画面表示される。この状態においてさらに電源キーの入力があった場合には、タイマ予約録画動作の終了時に装置の電源をオフ状態とするように設定の変更がされ、当該設定変更があった旨が画面表示される。そして、タイマ予約録画動作の終了時に装置が再生動作状態でない場合には、当該設定に従って装置の電源制御が行われ、一方、タイマ予約録画動作の終了時に装置が再生動作状態である場合には、前記設定状態に拘わらず装置の電源がオン状態に維持される。
【発明の効果】
【００２０】
本発明の請求項１の、装置内の各部への電力供給を行う電源部と、当該電源部から装置内の各部への電力供給の制御を行う電源制御部と、装置全体の制御を行う制御部と、時計機能を有するタイマ部と、操作部と、記憶部とを備えることにより、記録媒体へのコンテンツの録画動作を、録画開始日時及び録画終了日時の設定と、録画する映像信号の入力ソースの選択とを予め設定・記憶させることによるタイマ予約録画動作によって行うことが可能な記録再生装置であって、前記タイマ予約録画動作の終了時に、前記電源制御部によって前記電源部からの電源供給を停止させることで、前記タイマ予約録画動作の終了時に装置の電源をオフ状態とするように設定されている状態である場合に、前記タイマ予約録画動作中における前記操作部に対するユーザからの入力があった場合には、前記タイマ予約録画動作の終了時に、前記電源制御部による前記電源部からの電源供給の停止処理を行わせないことで、前記タイマ予約録画動作終了後も装置の電源をオン状態に維持することを特徴とする記録再生装置によれば、タイマ予約録画動作の終了時に装置の電源をオフ状態とするように設定されている状態である場合において、タイマ予約録画動作中にユーザからの入力（例えば再生ボタンの入力など）があった場合には、タイマ予約録画動作終了後も自動的に装置の電源がオン状態に維持される。即ち、タイマ予約録画動作中にユーザからの入力があったということを、ユーザの装置に対する使用意志があるものとみなし、これに従って自動的に装置の電源をオン状態に維持するため、ユーザは、電源維持のための操作を特に要することなく装置を継続して使用できるため、ユーザの利便性に優れる。
【００２１】
本発明の請求項２の、前記タイマ予約録画動作中における前記操作部に対するユーザからの入力が無かった場合には、前記タイマ予約録画動作の終了時に、前記記録再生装置に備えられる表示部若しくは前記記録再生装置に接続される表示装置に、前記記録再生装置の電源をオン状態で維持させるための指示を受け付ける画面を表示させ、これらに対するユーザからの指示が前記操作部の操作によって所定時間内にあった場合には装置の電源をオン状態に維持し、ユーザからの指示が所定時間内に無かった場合には装置の電源をオフ状態とすることを特徴とする請求項１記載の記録再生装置によれば、タイマ予約録画動作中における操作部に対するユーザからの入力がなかった場合には、タイマ予約録画動作の終了時に、装置の電源をオン状態で維持させる指示を求める画面が表示され、所定時間内にこれに対するユーザからの応答がない場合には、装置の電源がオフ状態とされ、ユーザからの応答があった場合には装置の電源がオン状態に維持されるため、よりユーザの使用意志に即した動作を行わせることができる。
【００２２】
本発明の請求項３の、前記タイマ予約録画動作中における前記操作部に対するユーザからの入力が、電源キーの入力である場合には、当該電源キーの入力に応じて前記タイマ予約録画動作の終了時に装置の電源をオフ状態とするかオン状態で維持するかの設定を変化させ、且つ、前記記録再生装置に備えられる表示部若しくは前記記録再生装置に接続される表示装置に当該変化後の設定に関する情報を表示させることを特徴とする請求項１又は請求項２に記載の記録再生装置によれば、タイマ予約録画動作中に電源キーの入力がある毎に、タイマ予約録画動作終了時の装置の電源制御の設定が、オンからオフへ若しくはオフからオンへと切り替わり、当該設定の変更があった旨が画面表示されるため、きわめて簡便な操作にてタイマ予約録画動作終了時の装置の電源制御の設定の変更を行うことができると共に、当該設定状態が画面表示されるため、ユーザの利便性に優れる。
【００２３】
本発明の請求項４の、前記タイマ予約録画動作中における前記操作部に対するユーザからの入力があった際に、前記記録再生装置に備えられる表示部若しくは前記記録再生装置に接続される表示装置に、前記タイマ予約録画動作が終了する時点で前記記録再生装置の電源をオン状態で維持するかオフ状態とするかの選択画面を表示させ、これに対するユーザの選択に従って前記タイマ予約録画動作が終了する時点での前記電源制御部による電力供給の制御を行わせることを特徴とする請求項１乃至請求項３の何れか１つに記載の記録再生装置によれば、タイマ予約録画動作中においてユーザによる入力があった場合には、当該入力があった時点で、タイマ予約録画動作の終了時に装置の電源をオン状態で維持するかオフ状態とするかの選択画面が表示され、これに対するユーザの選択に従って、タイマ予約録画動作の終了時の装置の電源がオン状態で維持若しくはオフ状態とされるため、簡便な操作によってよりユーザの使用意志に即した動作を行わせることができる。
【発明を実施するための最良の形態】
【００２４】
以下、本発明の具体的実施例について、図面を参照しながら説明する。なお、以下の実施態様は、本発明を具体化する際の一形態であって、本発明をその範囲内に限定するためのものではない。
【実施例１】
【００２５】
図１は本実施例のＤＶＤ記録再生装置内蔵ＬＣＤの本発明に係る部分のみの概略を示すブロック図であり、図２は同ＤＶＤ記録再生装置内蔵ＬＣＤの斜視図、図３は本発明に関する部分の動作の概略を示すフローチャートである。
【００２６】
図１に示されるように、本実施例のＤＶＤ記録再生装置内蔵ＬＣＤ（以下単にＤＶＤ内蔵ＬＣＤ）１は、記録媒体であるＤＶＤ２３への信号の書込み又はＤＶＤ２３からの信号の読込みを行うディスクドライブ１１、表示部１２、チューナ部１３ａ又は外部入出力部１３ｂからの信号を切替えて出力する入力切替部１３、操作部１４ａ又は受光部１４ｂからの信号を判別して出力するキー判別部１４、装置全体の制御を行う制御部１５等を有する。さらに、ＤＶＤ内蔵ＬＣＤ１は、入力切替部１３から入力された映像音声信号をＭＰＥＧ規格に基づいた信号に変換するエンコーダやＤＶＤ−ＶＲフォーマットの規格に準拠した記録データを生成する機能などを備える記録制御部１６、ディスクドライブ１１から入力されたデータを伸張するデコーダ等を備える再生制御部１７、入力切替部１３若しくは再生制御部１７等から入力された映像信号を表示部１２へ表示させる処理を行う表示処理部１８、記憶部１９、時計機能を有するタイマ部２０、タイマ予約録画動作の処理を行う予約動作処理部２１、装置内の各部への電力供給を行う電源部２２、当該電源部２２からの装置内の各部への電力供給の制御を行う電源制御部２５などを備える。
【００２７】
次に図３を参照しつつ、本実施例のＤＶＤ内蔵ＬＣＤ１のタイマ予約録画動作終了時の電源制御に関する動作処理の概略を説明する。なお、タイマ予約録画の設定は、録画開始日時及び録画終了日時と録画する映像信号の入力ソースの選択等をユーザがリモコン装置２若しくは操作部１４ａを操作して設定し、当該設定内容を記憶部１９に保存させることによって行う。当該ユーザからの各種指示や各情報の取得動作は、表示画面（表示部１２やリモコン装置２に備えられる表示部）に従う等してユーザがリモコン装置２や操作部１４ａを操作することで、キー判別部１４・制御部１５によって判別・取得される。以下の動作説明中の各種指示や各情報の取得動作においても同様である。
【００２８】
ステップ３０１では、記憶部１９に保存されている録画開始日時と、タイマ部２０から得られる現在時刻とを制御部１５によって比較することによって、録画開始日時に至ったか否かを判別し、録画開始日時に至った場合には（装置の電源がオフ状態である場合には電源制御部２５に電源オン処理を行わせる）予約動作処理部２１に処理を開始させることでタイマ予約録画処理を開始し（ステップ３０２）、ステップ３０３では変数ｓに０を代入してこれを記憶部１９に記憶させる。続くステップ３０４では変数ｓが０であるか否かを判別し、０であった場合には、ステップ３０５へ移行してユーザによるリモコン装置２若しくは操作部１４ａに対する操作があったか否かをキー判別部１４及び制御部１５によって判別し、操作があった場合にはｓに１を代入し（ステップ３０６）、操作がなかった場合にはステップ３０７へと移行する（なお、ここでは主に本発明に関する処理のみの説明としているため省略しているが、ユーザからの操作があった場合は、当該操作指示に該当する処理動作が行われることとなる）。ステップ３０４における判別が否定であった（ｓが０でなかった）場合にはそのままステップ３０７へと移行する。ステップ３０７では録画終了日時に至ったか否かを判別し、録画終了日時が到来していない場合にはステップ３０４へと移行してステップ３０４〜ステップ３０７の処理を繰り返す。録画終了日時となった場合にはステップ３０８へと移行し、タイマ予約録画終了処理（予約動作処理部２１による記録制御部１６への記録動作の停止命令など）を行い、ｓが１であるか否かの判断を行う（ステップ３０９）。
【００２９】
ステップ３０９における判断が否定であった場合（即ち、タイマ予約録画動作中においてユーザによる操作が無かった場合）には、ステップ３１０へ移行して図４に示されるような画面（本実施例では、操作を受け付ける残り時間をカウントダウンしながら表示するものとする）を表示部１２に、制御部１５及び表示処理部１８によってＯＳＤ表示させ、タイマ部２０にタイマ１をスタートさせる。ステップ３１１ではこれに対するユーザからの指示（本実施例ではリモコン装置２に備えられるＥＮＴＥＲキーの入力）があったか否かを判別し、これが無い場合には、ステップ３１２へと移行し、タイマ１が所定時間（本実施例では３０秒）経過したか否かを判別し、未だ経過していない場合はステップ３１１へと戻り、経過した場合（即ち、所定時間内に、ユーザからの指示が得られなかった場合）にはステップ３１３へと移行して制御部１５と電源制御部２５とによって電源オフ処理を行って処理を終了する。一方、ステップ３０９における判断が肯定であった場合（タイマ予約録画動作中においてユーザによる操作があった場合）及びステップ３１１における判断が肯定であった場合（所定時間内にユーザからの指示があった場合）には、電源オフ処理を行うことなくタイマ予約録画動作終了時の電源制御処理を終了する（即ち、タイマ予約録画動作終了後も装置の電源がオン状態で維持される）。なお、「電源オフ状態」とは、いわゆるスタンバイ状態（装置内の不要な部分への電源供給を停止し、マイコン等の一部の部分のみ通電状態である状態）や、装置の主電源がオフとされた状態（この場合であってもマイコンは通電状態である場合もある）などを示す。
【００３０】
以上のごとく、本実施例のＤＶＤ内蔵ＬＣＤ１によれば、タイマ予約録画動作中にユーザからの操作（例えば再生ボタンの入力など）があった場合には、タイマ予約録画動作終了後も自動的に装置の電源がオン状態に維持される。即ち、タイマ予約録画動作中にユーザからの操作があったということを、ユーザの装置に対する使用意志があるものとみなし、これに従って自動的に装置の電源をオン状態に維持するため、ユーザは、電源維持のための操作を特に要することなく装置を継続して使用でき、ユーザの利便性に優れる。さらに、タイマ予約録画動作中にユーザからの操作がなかった場合には、タイマ予約録画動作の終了時に、装置の電源をオン状態で維持させる指示を求める画面が表示され、所定時間内にこれに対するユーザからの応答がない場合には、装置の電源がオフ状態とされ、ユーザからの応答があった場合には装置の電源がオン状態に維持されるため、よりユーザの使用意志に即した動作を行わせることができると共に、装置の電源が無駄にオン状態に維持されることが抑止されるため、消費電力の低減が図られる。
【００３１】
なお、本実施例では、タイマ予約録画動作中の全期間に亘ってユーザからの操作があったか否かを判別しているが、特定の期間内のみ操作があったか否かを判別するようにしてもよい（例えば、タイマ予約録画終了前の所定期間のみステップ３０４〜ステップ３０６の処理を行わせることで、より録画終了時に近い期間に操作があった場合のみ装置の電源をオンに維持させる等の処理としてもよい）。また、ユーザからの操作があった時点で、「タイマ予約録画終了後も電源をオンに維持します」という旨のＯＳＤ表示を行わせる等してもよい。加えて、本実施例では、タイマ予約録画動作中においてユーザからの操作があったか否かを記憶（変数ｓによって記憶）し、タイマ予約録画終了時点においてこれを判断するようにしているが、例えば、予めタイマ予約録画動作の終了時に装置の電源をオフ状態とするように設定されているような場合には、タイマ予約録画動作中におけるユーザからの操作があった時点で、設定を変更する（タイマ予約録画動作終了時に装置の電源をオン状態で維持するように再設定する）ようにしてもよい。
【００３２】
図１１には、別のタイマ予約録画動作終了時の電源制御に関する動作処理の一例を示した（図３と同様の動作概念となるものについては同一の符号を使用している）。同図に示される処理では、タイマ予約録画動作中における操作の有無の判別を行わず、代わりにタイマ予約録画終了時点において、装置が再生処理状態であるか否かの判別を行っている（ステップ１１００）。当該判別は、制御部１５と再生制御部１７とによって行われ、装置が再生状態でないと判別された場合にはステップ３１０〜３１３の処理を行い、再生状態である場合にはそのまま（電源オフ処理を行うことなく）処理を終了する。これによって、タイマ予約録画終了時点において、装置が再生処理状態である場合には装置の電源がオン状態に維持され、再生状態でなかった場合には、装置の電源をオン状態で維持させる指示を求める画面が表示され、所定時間内にこれに対するユーザからの応答がない場合には、装置の電源がオフ状態とされ、ユーザからの応答があった場合には装置の電源がオン状態に維持される処理となる。
【実施例２】
【００３３】
図５は、本実施例のＤＶＤ内蔵ＬＣＤのタイマ予約録画動作終了時の電源制御に関する動作処理の概略を示したフローチャートである。なお、本実施例のＤＶＤ内蔵ＬＣＤは、実施例１と同様の構成であるため、ここでの説明を省略し、必要があるときは図１などを参照して説明する。
【００３４】
図５を参照しつつ、本実施例のＤＶＤ内蔵ＬＣＤのタイマ予約録画動作終了時の電源制御に関する動作処理の概略を説明する。なお、実施例１（図３）と同様の動作概念となるものについては同一の符号を使用し、ここでの説明を省略する。ステップ５０１では、タイマ予約録画開始直前の装置の電源状態がオンであるか否かを、制御部１５と電源制御部２５とによって判別し、オン状態である場合には変数ｐに１を代入し（ステップ５０２）、オフ状態である場合には変数ｐに０を代入して（ステップ５０３）記憶部１９へと保存する。タイマ予約録画開始処理（ステップ３０２）を経て、ステップ５０４では、電源キー２ａ（リモコン装置２に備えられる電源スイッチ）の入力の有無を判別する。これが無い場合にはステップ３０７へと移行し、電源キー２ａの入力があった場合にはステップ５０５において変数ｐが０であるか否かの判別を行う。ｐが０であった場合には１を代入して（ステップ５０６）、図６（ｂ）に示されるような画面をＯＳＤ表示させ（ステップ５０７）、一方、ｐが１であった場合には０を代入して（ステップ５０８）、図６（ａ）に示されるような画面をＯＳＤ表示させ（ステップ５０９）て、ステップ３０７へと移行する。ステップ３０７における判断が否定であった（録画終了時間でない）場合には、ステップ５０４へと戻り、処理を繰り返す。
【００３５】
録画終了時間が到来した場合にはステップ３０８を経てステップ５１０へと移行し、ｐが１であるか否かを判別し、ｐが０であった場合には電源オフ処理（ステップ３１３）を行い、ｐが１であった場合には電源オフ処理を行わずにタイマ予約録画動作終了時の電源制御処理を終了する（即ち、タイマ予約録画動作終了後も装置の電源がオン状態で維持される）。
【００３６】
以上のごとく本実施例のタイマ予約録画動作終了時の電源制御処理によれば、タイマ予約録画動作中に電源キーの入力がある毎に、タイマ予約録画動作終了時の装置の電源制御の設定が、オンからオフへ若しくはオフからオンへと切り替わり、当該設定の変更があった旨がＯＳＤ表示されるため、きわめて簡便な操作にてタイマ予約録画動作終了時の装置の電源制御の設定の変更を行うことができ、操作性に優れると共に、当該設定状態がＯＳＤ表示されるため、設定状態の確認用としても使用することができ（現在の設定状況がわからないような場合に、電源キー２ａを押すことで設定状況を認識することができる）、ユーザの利便性に優れる。また、電源制御の設定変更を、タイマ予約録画動作中の任意のタイミングにて行うことが可能なため、例えば、タイマ予約録画動作終了時のみに電源制御の設定変更を所定時間内に求めるようにしたような場合に生じ得る、当該設定変更指示を見逃してしまう（たまたま席を外しているような場合）ことで、所望の電源制御動作にならない等といった不都合を抑止することができる。
【００３７】
図１２には、別のタイマ予約録画動作終了時の電源制御に関する動作処理の一例を示した（図５と同様の動作概念となるものについては同一の符号を使用している）。同図に示される処理では、タイマ予約録画終了時点において、装置が再生処理状態であるか否かの判別を行っている（ステップ１２００）。これにより再生状態でないと判別された場合にはステップ５１０及びステップ３１３の処理を行い、再生状態である場合にはそのまま（電源オフ処理を行うことなく）処理を終了する。これによって、タイマ予約録画終了時点において、装置が再生処理状態である場合には装置の電源がオン状態に維持され、再生状態でなかった場合には、変数ｐの状態（タイマ予約録画動作開始時の装置の電源状態と、タイマ予約録画動作中における電源キーの入力回数によって定まる）に応じた電源の制御処理が行われることとなる。
【００３８】
なお、図７及び図８には、実施例１（図３）と実施例２（図５）の機能を併合した処理を示した。実施例１（図３）及び実施例２（図５）と同一の処理概念については同一の符号を使用し、本処理について詳しい説明はしないが、ステップ７０１において変数ｐ１に１を代入することにより、タイマ予約録画動作中に電源キーの入力があったか否かを判別可能とし、当該判別をタイマ予約録画動作終了時のステップ７０２で行い、タイマ予約録画動作中に電源キーの入力があった場合には、当該電源キーの入力によってなされた「タイマ予約録画動作終了時の装置の電源制御の設定」に従って電源制御を行い（ステップ５１０・ステップ３１３）、電源キーの入力がなかった場合には、タイマ予約録画動作中にその他の操作があったか否か等に基づいて電源制御を行う（ステップ３０９〜ステップ３１３）ことで、タイマ予約録画動作中における電源キーの入力の有無による設定の変更を優先してタイマ予約録画動作終了時の装置の電源制御を行っている。
【実施例３】
【００３９】
図９は、本実施例のＤＶＤ内蔵ＬＣＤのタイマ予約録画動作終了時の電源制御に関する動作処理の概略を示したフローチャートである。なお、本実施例のＤＶＤ内蔵ＬＣＤは、実施例１と同様の構成であるため、ここでの説明を省略し、必要があるときは図１などを参照して説明する。
【００４０】
図９を参照しつつ、本実施例のＤＶＤ内蔵ＬＣＤのタイマ予約録画動作終了時の電源制御に関する動作処理の概略を説明する。なお、実施例１（図３）と同様の動作概念となるものについては同一の符号を使用し、ここでの説明を省略する。ステップ３０５における判別において、ユーザによるリモコン装置２若しくは操作部１４ａに対する操作があった場合には、ステップ９０１へと移行し、図１０に示されるような画面をＯＳＤ表示し、タイマ予約録画動作終了時に装置の電源をオフとするかオンとするかの選択をユーザに求める。これに対する選択が「電源オン」であった場合にはステップ９０３へと移行し（ステップ９０２）、ｐに１を代入して記憶し、「電源オフ」が選択された場合にはステップ９０４へと移行し（ステップ９０２）、ｐに０を代入して記憶する。そして録画終了時間が到来した場合にはステップ３０８を経てステップ９０５へと移行し、ｐが１であるか否かを判別し、ｐが０であった場合には電源オフ処理（ステップ３１３）を行い、ｐが１であった場合には電源オフ処理を行わずにタイマ予約録画動作終了時の電源制御処理を終了する（即ち、タイマ予約録画動作終了後も装置の電源がオン状態で維持される）。なお、本実施例では、変数ｐの初期値は０（タイマ予約録画終了時に装置の電源オフ）とする。（ステップ３０１とステップ３０２との間に図５のステップ５０１〜５０３を行うことで、図５の処理と同様にｐの値を得るようにしてもよい）
【００４１】
以上のごとく本実施例のタイマ予約録画動作終了時の電源制御処理によれば、タイマ予約録画動作中にユーザからの装置に対する操作があった際に、タイマ予約録画動作終了時の装置の電源制御の設定をユーザに求める画面が表示され、当該ユーザによる設定に従って、タイマ予約録画動作終了時の装置の電源制御が行われる。すなわち、ユーザの装置に対する使用意志の変化が反映されるものである“装置に対する操作”がある毎に自動的に「タイマ予約録画動作終了時の装置の電源制御の設定」をするための画面が表示されるため、別途メニュー画面を表示させて設定の変更を行うような場合に比べ、操作性に優れるのである。
【００４２】
なお、本実施例では、タイマ予約録画動作中にユーザからの装置に対する操作がある度に、「タイマ予約録画動作終了時の装置の電源制御の設定」を求めるものとしているが、特定の操作（例えば再生操作）があった場合のみ設定変更を求めるような処理としてもよいし、最初の操作があった際のみや、録画終了前の所定期間中に操作があった場合のみ設定変更を求める処理としてもよい。
【００４３】
図１３には、実施例２（図５）と本実施例（図９）の機能を併合した処理を示した。実施例２（図５）及び本実施例（図９）と同一の処理概念については同一の符号を使用している。本処理によれば、タイマ予約録画動作中にユーザからの装置に対する操作があった際に、タイマ予約録画動作終了時の装置の電源制御の設定をユーザから得ると共に、タイマ予約録画動作中に電源キーの入力があった際にこれに応じて電源制御の設定が変更される処理となる。
【００４４】
実施例中では、「記録再生装置」の具体例としてＤＶＤ内蔵ＬＣＤを用いたが、本発明をこれに限るものではなく、記録媒体としては、ＤＶＤ以外の光ディスク媒体や、ＨＤＤに代表される磁気ディスク媒体、ＶＴＲに代表される磁気テープ媒体、フラッシュメモリなどの半導体素子により構成される記録媒体などをも含むものであり、本発明に係る「記録再生装置」は、前記した記録媒体に対する記録再生装置をいう。また、実施例（ＤＶＤ内蔵ＬＣＤ１）からも明らかなように、本発明における「記録再生装置」とは、記録媒体に対する映像の録画／再生のみを行う装置に限らず、他の機能と一体化されているような複合型の装置をも含む概念である。なお、「記録再生装置」が記録媒体に対する映像の録画／再生のみを行う装置である場合には、上記各処理中における「ＯＳＤ表示」処理は、映像信号にＯＳＤ信号を重畳して出力することにより、当該「記録再生装置」に接続される表示装置（テレビ等）に表示させる処理、又は、「記録再生装置」に備えられる表示部（表示管など）に表示させる処理となる。
【図面の簡単な説明】
【００４５】
【図１】ＤＶＤ記録再生装置内蔵ＬＣＤの本発明に係る部分のみの概略を示すブロック図
【図２】ＤＶＤ記録再生装置内蔵ＬＣＤの斜視図
【図３】ＤＶＤ内蔵ＬＣＤの本発明に関する部分の動作の概略を示すフローチャート
【図４】表示画面（ＯＳＤ表示）の一例を示す図
【図５】実施例２のＤＶＤ内蔵ＬＣＤのタイマ予約録画動作終了時の電源制御に関する動作処理の概略を示したフローチャート
【図６】表示画面（ＯＳＤ表示）の一例を示す図
【図７】実施例１（図３）と実施例２（図５）の機能を併合した処理を示したフローチャート
【図８】実施例１（図３）と実施例２（図５）の機能を併合した処理を示したフローチャート
【図９】実施例３のＤＶＤ内蔵ＬＣＤのタイマ予約録画動作終了時の電源制御に関する動作処理の概略を示したフローチャート
【図１０】表示画面（ＯＳＤ表示）の一例を示す図
【図１１】別のタイマ予約録画動作終了時の電源制御に関する動作処理の一例を示したフローチャート
【図１２】別のタイマ予約録画動作終了時の電源制御に関する動作処理の一例を示したフローチャート
【図１３】実施例２（図５）と実施例３（図９）の機能を併合した処理を示したフローチャート
【符号の説明】
【００４６】
１      ＤＶＤ記録再生装置内蔵ＬＣＤ
２      リモコン装置
２ａ    電源キー
１１    ディスクドライブ
１２    表示部
１４    キー判別部
１４ａ  操作部
１５    制御部
１６    記録制御部
１７    再生制御部
１９    記憶部
２０    タイマ部
２１    予約動作処理部
２２    電源部
２３    ＤＶＤ（記録媒体）
２５    電源制御部
【図１】
2006270253.tif 000003
【図２】
2006270253.tif 000004
【図３】
2006270253.tif 000005
【図４】
2006270253.tif 000006
【図５】
2006270253.tif 000007
【図６】
2006270253.tif 000008
【図７】
2006270253.tif 000009
【図８】
2006270253.tif 000010
【図９】
2006270253.tif 000011
【図１０】
2006270253.tif 000012
【図１１】
2006270253.tif 000013
【図１２】
2006270253.tif 000014
【図１３】
2006270253.tif 000015